(57)【要約】      （修正有）【課題】車両の設計自由度を向上させることができる牽引フックの取り付け構造を提供する。【解決手段】牽引フックの取り付け構造１は、車両の牽引フック３０と、車室の後方にて車幅方向に延設された上側後壁部１２及び下側後壁部１３、上側後壁部の上端部及び下側後壁部の下端部から前記車室側へそれぞれ延設された上壁部１４及び下壁部１５を有するバンパーリインフォースメント１０と、牽引フックをバンパーリインフォースメントに締結するナット部材２０と、を含む。上側後壁部、上壁部及び下壁部に貫通孔Ｈ１２１、貫通孔Ｈ１４及び貫通孔Ｈ１５がそれぞれ形成され、ナット部材は、車両高さ方向に延設されていて、貫通孔Ｈ１４及び貫通孔Ｈ１５に挿し込まれた状態でバンパーリインフォースメントに固定されており、牽引フックの先端が貫通孔Ｈ１２１からバンパーリインフォースメントに挿入されて、ナット部材に締結されている。【選択図】図２
2018043673.tif 000002
【特許請求の範囲】
【請求項１】
車両の牽引フックと、
車室の前方又は後方にて車幅方向に延設された第１壁部であって、その壁面が前記車室とは反対側へ向けられている第１壁部と、前記第１壁部の上端部及び下端部から前記車室側へそれぞれ延設された第２壁部及び第３壁部を有するバンパーリインフォースメントと、
前記牽引フックを前記バンパーリインフォースメントに締結するナット部材と、を含む牽引フックの取り付け構造であって、
前記第１壁部、前記第２壁部及び前記第３壁部に第１貫通孔、第２貫通孔及び第３貫通孔がそれぞれ形成され、
前記ナット部材は、車両高さ方向に延設されていて、前記第２貫通孔及び前記第３貫通孔に挿し込まれた状態で前記バンパーリインフォースメントに固定されており、
前記牽引フックの先端が前記第１貫通孔からバンパーリインフォースメントに挿入されて、前記ナット部材に締結されている、牽引フックの取り付け構造。
【請求項２】
請求項１に記載の牽引フックの取り付け構造において、
前記第３貫通孔が前記第２貫通孔より大きく形成され、
前記ナット部材は、前記第２壁部の上方から前記第２貫通孔に挿入され、その先端部が前記第３貫通孔から突出した状態で、前記バンパーリインフォースメントに固定されている、牽引フックの取り付け構造。
【請求項３】
請求項１又は２に記載の牽引フックの取り付け構造において、
前記ナット部材の上端部及び下端部が前記第２壁部及び前記第３壁部にそれぞれ溶接されている、牽引フックの取り付け構造。
【請求項４】
請求項１乃至３のうちのいずれか１つに記載の牽引フックの取り付け構造において、
前記ナット部材が前記バンパーリインフォースメントにおける車室側の端部に配置されている、牽引フックの取り付け構造。
【発明の詳細な説明】
【技術分野】
【０００１】
本発明は、車両の牽引フックの取り付け構造に関する。
【背景技術】
【０００２】
下記特許文献１に記載されているように、車両のバンパーリインフォースメントに締結される牽引フックは知られている。このバンパーリインフォースメントは、車室の前方（又は後方）にて、車幅方向に延びる筒状に形成されている。このバンパーリインフォースメントの長手方向に垂直な断面外形は矩形である。すなわち、バンパーリインフォースメントは、前壁部、後壁部、上壁部及び下壁部を有する。前壁部及び後壁部は、車両高さ方向に平行である。また、上壁部及び下壁部は、車両高さ方向に垂直である。上壁部は、前壁部の上端と後壁部の上端とを接続している。下壁部は、前壁部の下端と後壁部の下端とを接続している。前壁部及び後壁部に、車両前後方向に貫通する貫通孔が形成され、この貫通孔にナット部材が挿入されている。ナット部材は、車両前後方向に延設されている。ナット部材の前端は、前壁部の前面から前方へ突出している。また、ナット部材の後端は、後壁部の後面から後方へ突出している。ナット部材の前端は、前壁部の前面に固定され、ナット部材の後端は、後壁部の後面に固定されている。ナット部材に牽引フックが締結される。また、バンパーリインフォースメントは、車両の骨格部材（サイドメンバ、サブフレームなど）に取り付けられる。
【先行技術文献】
【特許文献】
【０００３】
【特許文献１】特許第４２２９３８８号公報
【発明の概要】
【０００４】
特許文献１においては、ナット部材がバンパーリインフォースメントから車室側へ突出している。したがって、ナット部材が前記骨格部材及び車両の他の部品に干渉しない位置に牽引フックの取り付け位置を設定する必要がある。車両の意匠上の制約、他の部品の配置による制約などにより、ナット部材が前記骨格部材に干渉するような位置にしか牽引フックの取り付け位置を設定できない場合には、前記骨格部材においてナット部材を避ける構造（凹部、孔など）が必要である。
【０００５】
本発明は上記問題に対処するためになされたもので、その目的は、車両の設計自由度を向上させることができる牽引フックの取り付け構造を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
上記目的を達成するために、本発明の特徴は、車両の牽引フック（３０）と、車室の前方又は後方にて車幅方向に延設された第１壁部（１２，１３）であって、その壁面が前記車室とは反対側へ向けられている第１壁部と、第１壁部の上端部及び下端部から車室側へそれぞれ延設された第２壁部（１４）及び第３壁部（１５）を有するバンパーリインフォースメント（１０）と、牽引フックをバンパーリインフォースメントに締結するナット部材（２０）と、を含む牽引フックの取り付け構造（１）であって、第１壁部、第２壁部及び第３壁部には第１貫通孔（Ｈ１２１）、第２貫通孔（Ｈ１４）及び第３貫通孔（Ｈ１５）がそれぞれ形成され、ナット部材は、車両高さ方向に延設されていて、第２貫通孔及び第３貫通孔に挿し込まれた状態でバンパーリインフォースメントに固定されており、牽引フックの先端が第１貫通孔からバンパーリインフォースメントに挿入されて、ナット部材に締結されている、牽引フックの取り付け構造としたことにある。
【０００７】
この場合、第３貫通孔が第２貫通孔より大きく形成され、ナット部材は、第２壁部の上方から第２貫通孔に挿入され、その先端部が第３貫通孔から突出した状態で、バンパーリインフォースメントに固定されているとよい。
【０００８】
また、この場合、ナット部材の上端部及び下端部が第２壁部及び第３壁部にそれぞれ溶接されているとよい。
【０００９】
本発明に係る牽引フックの取り付け構造において、牽引フックが締結されるナット部材は、車両高さ方向に延設されている。そして、ナット部材は、バンパーリインフォースメントの第２壁部及び第３壁部に設けられた第２貫通孔及び第３貫通孔に挿入されて、第２壁部及び第３壁部に固定される。したがって、ナット部材の上端部及び下端部が、バンパーリインフォースメントの上面及び下面から多少突出するとしても、ナット部材は、バンパーリインフォースメントから車室側へは突出しない。また、牽引フックは、第１壁部に設けられた第１貫通孔からバンパーリインフォースメント内へ挿入され、ナット部材に締結される。牽引フックのうち、ナット部材に締結される部分の長さ（雄ねじの長さ）をナット部材の厚さと同等に設定すれば、牽引フックがバンパーリインフォースメントから車室側へ突出しない。したがって、車両の骨格部材において、ナット部材及び牽引フックを避けるための凹部、孔などを設ける必要がない。また、車両の骨格部材の位置に制約されることなく、牽引フックの取り付け位置を設定できる。このように、本発明に係る牽引フックの取り付け構造によれば、車両の設計自由度を向上させることができる。
【００１０】
また、特許文献１の牽引フックの取り付け構造のように、ナット部材が車両前後方向に延設され、ナット部材が第１壁部に支持されていた場合、牽引荷重（牽引フックに作用する車両前後方向の荷重）が、第１壁部に直接的に作用し、第１壁部を介して第２壁部及び第３壁部に作用する。この場合、第２壁部及び第３壁部は、第１壁部のリブとして機能するが、過大な牽引荷重によって第２壁部及び第３壁部が変形する前に、第１壁部が変形する虞がある。これに対し、本発明では、牽引荷重が第２壁部及び第３壁部に直接的に作用する。したがって、本発明によれば、特許文献１の牽引フックの取り付け構造に比べて、牽引最大荷重を大きく設定できる。
【００１１】
また、バンパーリインフォースメントは、衝突時の衝撃荷重により車両前後方向に圧縮変形し、前記衝突による衝撃を吸収する機能を有する。ここで、特許文献１のように、ナット部材がバンパーリインフォースメントの前端から後端に亘るように車両前後方向に延設されている場合には、後方（又は前方）からの衝突に対し、バンパーリインフォースメントにおいてナット部材が設けられた部分の剛性が他の部分の剛性よりも高い。したがって、バンパーリインフォースメントにおいてナット部材が設けられた部分の変形が抑制され、衝撃を効率的に吸収することが出来ない。これに対し、本発明では、バンパーリインフォースメントにおけるナット部材よりも前方に位置する部分及びナット部材より後方に位置する部分に空間を形成することが可能である。よって、車両の後方（又は前方）に物体が衝突した際、バンパーリインフォースメントにおけるナット部材よりも前方に位置する部分及びナット部材より後方に位置する部分が圧縮変形することにより、前記衝突による衝撃が吸収される。
【００１２】
また、本発明の他の特徴は、ナット部材がバンパーリインフォースメントにおける車室側の端部に配置されている、牽引フックの取り付け構造としたことにある。
【００１３】
牽引フックがナット部材に締結された状態において、牽引フックに車両高さ方向又は車幅方向の荷重が作用すると、牽引フックが前記荷重の方向に多少振れる。牽引フックが第１貫通孔の内周面に当接することで、牽引フックの振れが規制される。本発明では、ナット部材は、バンパーリインフォースメントにおける車室側の端部に配置されている。これにより、牽引フックがナット部材に締結された状態における、牽引フックを支持するナット部材と第１貫通孔との距離を比較的大きく設定できる。したがって、ナット部材がバンパーリインフォースメントにおける車室とは反対側の端部（第１貫通孔の近傍）に配置されている場合に比べて、牽引フックの振れが規制された状態の牽引フックの振れ角度が小さい。
【００１４】
なお、ナット部材の車両前後方向の位置（つまり、第２貫通孔及び第３貫通孔の車両前後方向の位置）を、バンパーリインフォースメントとバンパーカバーとの距離に応じて設定するとよい。例えば、前記距離が比較的長い車種においては、ナット部材を第１壁部に近い位置に設定する。一方、前記距離が比較的短い車種においては、ナット部材を第１壁部から遠い位置に設定する。これによれば、同一の牽引フックを前記距離が異なる複数の車種について共通の部品として採用した場合であっても、前記複数の車種におけるバンパーカバーからの牽引フックの突出量を同等に設定できる。
【図面の簡単な説明】
【００１５】
【図１】本発明の一実施形態に係る牽引フックの取り付け構造が適用された車両の概略を示す平面図である。
【図２】本発明の一実施形態に係る牽引フックの取り付け構造の分解斜視図である。
【図３】バンパーリインフォースメントの端部であって、牽引フック及びナット部材が配置された部分の長手方向に垂直な断面であって、の車幅方向における中央部の断面図である。
【図４】中間成形体の斜視図である。
【発明を実施するための形態】
【００１６】
本発明の一実施形態に係る牽引フックの取り付け構造１について説明する。まず、牽引フックの取り付け構造１が適用された車両Ｖの構成について簡単に説明しておく。この車両Ｖは、図１に示すように、サイドメンバＳＲ，ＳＬを有する。サイドメンバＳＲ，ＳＬは、車幅方向に間隔をおいて配置され、車両前後方向にそれぞれ延設されている。サイドメンバＳＲ，ＳＬは、角筒状に形成され、その後端面は後壁部によって閉じられている。この後壁部の後端面は、車両前後方向に垂直な平面状に形成されている。
【００１７】
つぎに、牽引フックの取り付け構造１の概略について説明する。この実施形態では、図２に示すように、バンパーリインフォースメント１０に設けられた貫通孔であって、車両高さ方向に貫通する貫通孔Ｈ１４、貫通孔ＨＲ及び貫通孔Ｈ１５にナット部材２０が挿入される。そして、ナット部材２０に牽引フック３０が締結される。なお、本実施形態では、車両Ｖの後端に牽引フック３０を取り付ける構造について説明するが、本発明は、車両Ｖの前端に牽引フック３０を取り付ける構造としても実施可能である。また、牽引フックの取り付け構造１において、その左端部の構造は右端部の構造と対称であるので、その説明を適宜省略する。
【００１８】
以下、バンパーリインフォースメント１０、ナット部材２０及び牽引フック３０の構成について詳しく説明する。バンパーリインフォースメント１０は、車幅方向に延設され、その車幅方向における前面の両端部がサイドメンバＳＲ，ＳＬの後壁部の後面に締結される。バンパーリインフォースメント１０は、図２及び図３に示すように、車幅方向に延びる筒状に形成されている。バンパーリインフォースメント１０の車幅方向における中央部は、車両Ｖのバンパーカバーに沿うように湾曲形成されている。つまり、バンパーリインフォースメント１０の平面視において、バンパーリインフォースメント１０の車幅方向における中央部は、車幅方向における両端部よりも後方に位置するように湾曲している。バンパーリインフォースメント１０の車幅方向における両端部は、車幅方向に平行な直線状に延設されている。
【００１９】
図３に示すように、バンパーリインフォースメント１０の延設方向に垂直な断面外形は略五角形を呈する。すなわち、バンパーリインフォースメント１０は、前壁部１１、上側後壁部１２、下側後壁部１３、上壁部１４及び下壁部１５を有する。上側後壁部１２及び下側後壁部１３は、前壁部１１の後方に位置している。前壁部１１の壁面（前面）が車室側へ向けられており、上側後壁部１２及び下側後壁部１３の壁面（後面）が車室とは反対側へ向けられている。前壁部１１及び上側後壁部１２は、車両高さ方向に平行である。下側後壁部１３は、上側後壁部１２の下方に位置している。下側後壁部１３の上端が上側後壁部１２の下端に接続されている。下側後壁部１３は、車両高さ方向に対して少し傾斜している。具体的には、下側後壁部１３の下端が、上端よりも少し前方に位置している。なお、上側後壁部１２及び下側後壁部１３が本発明の第１壁部に相当する。
【００２０】
上壁部１４及び下壁部１５は、車両高さ方向に垂直（つまり、上面及び下面が水平）に配置されている。上壁部１４の前端は、前壁部１１の上端に接続され、上壁部１４の後端は、上側後壁部１２の上端に接続されている。つまり、上壁部１４は、上側後壁部１２の上端から車室側へ延設されている。下壁部１５の前端は、前壁部１１の下端に接続され、下壁部１５の後端は、下側後壁部１３の下端に接続されている。つまり、下壁部１５は、下側後壁部１３の下端から車室側へ延設されている。なお、上壁部１４が本発明の第２壁部に相当し、下壁部１５が本発明の第３壁部に相当する。
【００２１】
また、前壁部１１、上側後壁部１２、下側後壁部１３、上壁部１４及び下壁部１５によって囲まれた空間内には、リブＲが形成されている。リブＲは、上側後壁部１２と下側後壁部１３との接続部から前方へ延設されて前壁部１１の車両高さ方向における中央部に接続されている。
【００２２】
上壁部１４、リブＲ及び下壁部１５の右端部には、車両高さ方向に貫通する貫通孔Ｈ１４、貫通孔ＨＲ及び貫通孔Ｈ１５がそれぞれ形成されている。貫通孔Ｈ１４、貫通孔ＨＲ及び貫通孔Ｈ１５は同軸配置されている。貫通孔Ｈ１４、貫通孔ＨＲ及び貫通孔Ｈ１５は、バンパーリインフォースメント１０の車両前後方向における中央部よりも前側（車室側）に形成されている。バンパーリインフォースメント１０の平面視において、貫通孔Ｈ１４、貫通孔ＨＲ及び貫通孔Ｈ１５は、車幅方向に長い矩形を呈する。すなわち、貫通孔Ｈ１４、貫通孔ＨＲ及び貫通孔Ｈ１５の車幅方向の寸法は、車両前後方向の寸法よりも長い。貫通孔Ｈ１４、貫通孔ＨＲ及び貫通孔Ｈ１５の長辺の長さは同一である。一方、図３に示すように、貫通孔ＨＲ及び貫通孔Ｈ１５の短辺は、貫通孔Ｈ１４の短辺よりも少し長い。つまり、貫通孔ＨＲ及び貫通孔Ｈ１５は、貫通孔Ｈ１４よりも少し大きい。
【００２３】
また、上側後壁部１２の右端部には、車両前後方向に貫通する貫通孔Ｈ１２１が形成されている。貫通孔Ｈ１２１の中心軸は、貫通孔Ｈ１４、貫通孔ＨＲ及び貫通孔Ｈ１５の中心軸に直交する。貫通孔Ｈ１２１の内径は、後述する牽引フック３０の軸部３１の外径よりも少し大きい。
【００２４】
また、前壁部１１の右端部には、車両前後方向に貫通する４つの貫通孔Ｈ１１がそれぞれ形成されている。貫通孔Ｈ１１の内径は、バンパーリインフォースメント１０をサイドメンバＳＲ，ＳＬに固定するためのボルトの外径よりも少し大きい。また、上側後壁部１２及び下側後壁部１３の右端部には、車両前後方向に貫通する貫通孔Ｈ１２２及び貫通孔Ｈ１３がそれぞれ形成されている。貫通孔Ｈ１２２及び貫通孔Ｈ１３は、貫通孔Ｈ１１の後方に位置している。貫通孔Ｈ１２２及び貫通孔Ｈ１３の内径は、バンパーリインフォースメント１０を固定するためのボルトを締結する際に用いる工具を挿入可能なように、貫通孔Ｈ１１よりも大きく形成されている。
【００２５】
バンパーリインフォースメント１０は、下記のようにして、一体的に形成される。まず、金属材料（例えばアルミニウム材）を押出加工して、図４に示すような、直線状に延びる筒状の中間成形体Ｍが形成される。この中間成形体Ｍの延設方向に垂直な断面形状は、バンパーリインフォースメント１０の車幅方向端部の断面（図３）と同じ形状を呈する。なお、前記金属材料の押出方向は、車幅方向に相当する。次に、中間成形体Ｍの車幅方向両端部を固定した状態で中間成形体Ｍの車幅方向中央部を後方へ押圧して湾曲させる。そして、前壁部１１、上側後壁部１２、下側後壁部１３、上壁部１４及び下壁部１５に、貫通孔Ｈ１１，Ｈ１２１，Ｈ１２２，Ｈ１３，Ｈ１４，Ｈ１５がそれぞれ形成される。このようにして、バンパーリインフォースメント１０が形成される。
【００２６】
ナット部材２０は、車両高さ方向に延びる本体部２１と、本体部２１の上端に設けられた板状の鍔部２２を有する。本体部２１の車両高さ方向に垂直な断面は、車幅方向に長い矩形を呈する。本体部２１の車両前後方向の寸法は、貫通孔Ｈ１４の車両前後方向の寸法よりも少し小さい。本体部２１の上部（車両高さ方向における中央より上側）の長辺の長さは、貫通孔Ｈ１４の長辺の長さよりも少し小さい。本体部２１の下部（車両高さ方向における中央より下側）の長辺の長さは、上部の長辺の長さの半分程度である。ただし、本体部２１の下端部の長辺の長さは、上部の長辺の長さと同程度である。また、本体部２１の車両高さ方向の寸法は、バンパーリインフォースメント１０の車両高さ方向の寸法よりも少し大きい。また、本体部２１の車両高さ方向における中央部よりも少し上方に位置する部分に、車両前後方向に延びる雌ねじ部２１１が形成されている。
【００２７】
ナット部材２０の平面視において、鍔部２２は車幅方向に長い矩形を呈する。鍔部２２の長辺の長さは、本体部２１の上部の長辺の長さよりも長い。つまり、鍔部２２は、本体部２１から車幅方向に張り出している。一方、鍔部２２の短辺の長さは、本体部２１の短辺の長さと同等である。
【００２８】
ナット部材２０は、バンパーリインフォースメント１０の上方から、貫通孔Ｈ１４、貫通孔ＨＲ及び貫通孔Ｈ１５に挿入される。鍔部２２が上壁部１４の上面に当接した状態で、本体部２１の下端は、下壁部１５よりも少し下方に位置している。この状態において、本体部２１の前面と、貫通孔Ｈ１４の内周面との間の隙間は僅かである（図３参照）。本体部２１の前面と、貫通孔ＨＲ及び貫通孔Ｈ１５の内周面との間には比較的大きな隙間が形成されている。また、本体部２１の後面と、貫通孔Ｈ１４の内周面との間に隙間は僅かである。本体部２１の後面と、貫通孔ＨＲ及び貫通孔Ｈ１５の内周面との間には比較的大きな隙間が形成されている。一方、本体部２１の右面と、貫通孔Ｈ１４、貫通孔ＨＲ及び貫通孔Ｈ１５の内周面との間の隙間は僅かである。また、本体部２１の左面と、貫通孔Ｈ１４、貫通孔ＨＲ及び貫通孔Ｈ１５の内周面との間の隙間は僅かである。また、本体部２１の前面と、バンパーリインフォースメント１０の前壁部１１との間には比較的大きな空間が形成されている。本体部２１の後面と、バンパーリインフォースメント１０の上側後壁部１２及び下側後壁部１３との間には比較的大きな空間が形成されている。鍔部２２の周縁部が上壁部１４に溶接される。また、本体部２１の下端部における右面及び左面が、下壁部１５に溶接される。この状態において、本体部２１の雌ねじ部２１１は、上壁部１４とリブＲとの中間に位置しており、雌ねじ部２１１と貫通孔Ｈ１２１とが同軸配置されている。
【００２９】
ナット部材２０が溶接されたバンパーリインフォースメント１０が、サイドメンバＳＲ，ＳＬの後方に載置される。バンパーリインフォースメント１０の貫通孔Ｈ１２２，Ｈ１３からボルト及び工具の先端がバンパーリインフォースメント１０内に挿入される。そして、前記ボルトの先端が貫通孔Ｈ１１に挿入されて、サイドメンバＳＲ，ＳＬの後壁部に締結される。このようにして、バンパーリインフォースメント１０が車両Ｖの本体に固定される。
【００３０】
牽引フック３０は、直線状に延びる軸部３１と環状に形成されたフック部３２とを有する（図２及び図３参照）。フック部３２は、軸部３１の長手方向における一端部に設けられている。軸部３１の長手方向における他端部には、ナット部材２０の雌ねじ部２１１に締結可能な雄ねじ部３１１が形成されている。雄ねじ部３１１の長さ（軸部３１の長手方向の長さ）は、ナット部材２０の本体部２１の短辺の長さと略同一である。バンパーリインフォースメント１０の後方から、貫通孔Ｈ１２１に、牽引フック３０の軸部の先端部（他端部）が挿入され、雄ねじ部３１１がナット部材２０の雌ねじ部２１１に締結される。牽引フック３０がナット部材２０に締結された状態において、軸部３１の先端（他端）は、ナット部材２０の前面から僅かに突出している。
【００３１】
上記のように、ナット部材２０がバンパーリインフォースメント１０に固定された状態において、ナット部材２０の上端部及び下端部が、バンパーリインフォースメント１０から上方及び下方へ多少突出しているが、ナット部材２０は、バンパーリインフォースメント１０から前方へは突出しない。そして、牽引フック３０の雄ねじ部３１１がナット部材２０の雌ねじ部２１１に締結された際、牽引フック３０の軸部３１の先端部は、バンパーリインフォースメント１０内に位置している。つまり、牽引フック３０は、バンパーリインフォースメント１０の前面から前方へ突出しない。したがって、バンパーリインフォースメント１０の車幅方向における両端部の前面を平面状に設定でき、サイドメンバＳＲ，ＳＬの後壁部において、ナット部材２０及び牽引フック３０を避けるための凹部、孔などを設ける必要がない。また、サイドメンバＳＲ，ＳＬの位置に制約されることなく、牽引フック３０の取り付け位置を設定できる。このように、牽引フックの取り付け構造１によれば、車両Ｖの設計自由度を向上させることができる。
【００３２】
また、特許文献１の牽引フックの取り付け構造のように、ナット部材２０が車両前後方向に延設され、ナット部材２０が前壁部１１、及び上側後壁部１２（又は下側後壁部１３）に支持されていた場合、牽引荷重（牽引フック３０に作用する車両前後方向の荷重）が、前壁部１１、及び上側後壁部１２（又は下側後壁部１３）に直接的に作用し、前壁部１１、及び上側後壁部１２（又は下側後壁部１３）を介して上壁部１４及び下壁部１５に作用する。この場合、上壁部１４及び下壁部１５は、前壁部１１、及び上側後壁部１２（又は下側後壁部１３）のリブとして機能するが、過大な牽引荷重によって上壁部１４及び下壁部１５が変形する前に、前壁部１１が変形する虞がある。これに対し、本実施形態では、ナット部材２０は、上壁部１４及び下壁部１５に支持されているので、牽引荷重が上壁部１４及び下壁部１５に直接的に作用する。したがって、本実施形態によれば、特許文献１の牽引フックの取り付け構造に比べて、牽引最大荷重を大きく設定できる。
【００３３】
また、バンパーリインフォースメント１０は、衝突時の衝撃荷重により車両前後方向に圧縮変形し、前記衝突による衝撃を吸収する機能を有する。ここで、特許文献１のように、ナット部材２０が車両前後方向に延設され、その前端及び後端が、前壁部１１及び上側後壁部１２（又は下側後壁部１３）に固定されている場合には、後方からの衝突に対する、ナット部材２０が設けられた部分の剛性が他の部分よりも高い。したがって、車両Ｖの後方から物体が衝突した際、ナット部材２０が設けられた部分の変形が抑制され、衝撃を効率的に吸収することが出来ない。これに対し、本実施形態では、バンパーリインフォースメント１０におけるナット部材２０よりも前方の部分及び後方の部分に空間が形成されている。よって、車両Ｖの後方から物体が衝突した際、バンパーリインフォースメント１０におけるナット部材２０よりも前方の部分及び後方の部分が圧縮変形することにより、前記衝突による衝撃が吸収される。
【００３４】
また、牽引フック３０がナット部材２０に締結された状態において、牽引フック３０に車両高さ方向又は車幅方向の荷重が作用すると、牽引フック３０が前記荷重の方向に多少振れる。牽引フック３０の軸部３１が貫通孔Ｈ１２１の内周面に当接することで、牽引フック３０の振れが規制される。本実施形態では、ナット部材２０がバンパーリインフォースメント１０の車両前後方向における中央部よりも前側（車室側）に配置されている。そのため、牽引フック３０がナット部材２０に締結された状態において、牽引フック３０を支持するナット部材２０と貫通孔Ｈ１２１との距離が比較的大きい。したがって、ナット部材２０が後壁部１２に近い位置に配置されている場合に比べて、牽引フック３０の振れが規制された状態の振れ角度が小さい。
【００３５】
なお、ナット部材２０の車両前後方向の位置を、バンパーリインフォースメント１０とバンパーカバーとの距離に応じて設定するとよい。例えば、前記距離が比較的長い車種においては、ナット部材２０を上記実施形態よりも少し前方に設定する。一方、前記距離が比較的短い車種においては、ナット部材２０を上記実施形態よりも少し後方に設定する。これによれば、同一の牽引フック３０を前記距離が異なる複数の車種について共通の部品として採用した場合であっても、前記複数の車種におけるバンパーカバーからの牽引フック３０の突出量を同等に設定できる。
【００３６】
また、貫通穴ＨＲ及び貫通穴Ｈ１５が貫通穴Ｈ１４より少し大きい。したがって、ナット部材２０を貫通穴Ｈ１４に挿入したのち、ナット部材２０が少し傾いたとしても、ナット部材２０を、比較的簡単に、貫通穴ＨＲ及び貫通穴Ｈ１５に挿入できる。
【００３７】
さらに、本発明の実施にあたっては、上記実施形態に限定されるものではなく、本発明の目的を逸脱しない限りにおいて種々の変更が可能である。
【００３８】
例えば、上記実施形態では、バンパーリインフォースメント１０は、筒状に形成されているが、前壁部１１の車両高さ方向における中央部が車室側へ向かって解放されていてもよい。また、上記実施形態では、ナット部材２０がバンパーリインフォースメント１０に溶接されているが、ナット部材２０の固定方法は上記実施形態に限られない。例えば、ナット部材２０が締結部材によってバンパーリインフォースメント１０に締結されてもよい。
【符号の説明】
【００３９】
１・・・牽引フックの取り付け構造、１０・・・バンパーリインフォースメント、１１・・・前壁部、１２・・・上側後壁部、１３・・・下側後壁部、１４・・・上壁部、１５・・・下壁部、２０・・・ナット部材、２１・・・本体部、２２・・・鍔部、３０・・・牽引フック、３１・・・軸部、３２・・・フック部、Ｈ１１，Ｈ１２１，Ｈ１２２，Ｈ１３，Ｈ１４，Ｈ１５・・・貫通孔、Ｍ・・・中間成形体、Ｒ・・・リブ、ＳＲ，ＳＬ・・・サイドメンバ、Ｖ・・・車両
【図１】
2018043673.tif 000003
【図２】
2018043673.tif 000004
【図３】
2018043673.tif 000005
【図４】
2018043673.tif 000006